(57)【要約】【課題】より汎用的であって、より容易、且つ、より正確に、位置に関する行動履歴をユーザに提示することを可能にする。【解決手段】人体を介してデータの通信を行う携帯機側通信機２１とデータを記憶するメモリ２６とを備えているとともにユーザ３によって携行される携帯機２と、人体を介してデータの通信を行うユニット側通信機１１ａを有しているとともにユーザ３が触れる配置ユニット１ａとを含み、ユーザ３が配置ユニット１ａのユニット側通信機１１ａに触れることによってユニット側通信機１１ａと携帯機側通信機２１との間での通信が可能となったことに基づいて、携帯機２が、現在位置に関連するデータである位置データを、携帯機２のメモリ２６に記憶する。【選択図】図５
2010039789.tif 000002
【特許請求の範囲】
【請求項１】
ユーザによって携行される携帯機であって、
人体を介してデータの通信を行う携帯機側人体通信部と、
データを記憶するデータ記憶部と、を備えている携帯機と、
前記ユーザが触れる物体に設けられた、人体を介してデータの通信を行う物体側人体通信部を備えている物体側装置と、を含み、
前記ユーザが前記物体の物体側人体通信部に触れることによってその物体側人体通信部と前記携帯機側人体通信部との間での通信が可能となったことに基づいて、前記携帯機は、現在位置に関連するデータである位置関連データを、前記データ記憶部に記憶することを特徴とする行動履歴記憶システム。
【請求項２】
ユーザによって携行される携帯機であって、
人体を介してデータの通信を行う携帯機側人体通信部と、
データを記憶するデータ記憶部と、を備えている携帯機と、
前記ユーザが触れる物体に設けられた、人体を介してデータの通信を行う物体側人体通信部と、
当該物体の現在位置に関連するデータである位置関連データを格納している位置関連データ格納部と、を備えている物体側装置と、を含み、
前記ユーザが前記物体の物体側人体通信部に触れた場合に、前記ユーザを介した通信によって、前記位置関連データ格納部に格納している前記位置関連データを、前記物体側人体通信部から前記携帯機側人体通信部へ送信し、前記携帯機側人体通信部で受信したこの位置関連データを前記データ記憶部に記憶することを特徴とする行動履歴記憶システム。
【請求項３】
前記携帯機は、前記データ記憶部に記憶された位置関連データに従った提示を行わせる提示部をさらに備えていることを特徴とする請求項１または２に記載の行動履歴記憶システム。
【請求項４】
前記提示部は、前記データ記憶部に記憶された位置関連データに従って、当該位置関連データに対応する位置を示す地図の提示を行わせることを特徴とする請求項３に記載の行動履歴記憶システム。
【請求項５】
前記位置関連データ格納部は、物体を示すことによってその物体の位置を前記ユーザに想起させることが可能な物体に関して、その物体に固有の識別子のデータを前記位置関連データとして格納するとともに、
前記データ記憶部に記憶された前記識別子のデータに従って、当該識別子のデータに対応する物体を示す提示を前記提示部に行わせることを特徴とする請求項２に記載の行動履歴記憶システム。
【請求項６】
前記物体側人体通信部を備えている前記物体は複数であって、
前記携帯機は、複数の物体の前記位置関連データについて、前記データ記憶部に記憶した順番も前記データ記憶部に記憶しており、
前記提示部は、さらに、前記記憶した順番を示す提示も行わせることを特徴とする請求項１〜５のいずれか１項に記載の行動履歴記憶システム。
【請求項７】
前記携帯機は、
前記複数の物体のそれぞれの前記位置関連データの記憶の要否を予め登録してある登録部と、
前記複数の物体のうち、記憶が必要であると前記登録部に登録されている物体の前記位置関連データの前記データ記憶部への記憶のみを許可する認証部と、をさらに備えることを特徴とする請求項６に記載の行動履歴システム。
【請求項８】
前記物体側人体通信部を備えている前記物体は、前記ユーザを複数種類の場所に行き来させることが可能な移動ユニットであって、
前記移動ユニットは、前記移動ユニットを前記複数種類の場所のいずれかに移動させる移動制御部をさらに備え、
前記位置関連データ格納部は、前記複数種類の場所ごとの前記位置関連データを格納しているとともに、
前記移動ユニットの物体側人体通信部は、前記移動ユニットに前記ユーザが乗るときに前記ユーザに接触するように設けられており、
前記ユーザが前記移動ユニットの物体側人体通信部に触れたときに前記データ記憶部に前記位置関連データが予め記憶されていなかった場合には、前記ユーザを介した通信によって、前記位置関連データ格納部に格納している前記位置関連データのうち、前記複数種類の場所のうちの前記移動ユニットが存在している場所に対応する位置関連データを、前記物体側人体通信部から前記携帯機側人体通信部へ送信し、
前記ユーザが前記移動ユニットの物体側人体通信部に触れたときに前記データ記憶部に前記位置関連データが予め記憶されていた場合には、前記移動制御部によって、前記データ記憶部に記憶された前記位置関連データに従った場所に前記移動ユニットを移動させることを特徴とする請求項２または３に記載の行動履歴記憶システム。
【請求項９】
前記物体側人体通信部を備えている前記物体は、前記ユーザを複数種類の場所に行き来させることが可能な移動ユニットであって、
前記移動ユニットは、
前記移動ユニットを前記複数種類の場所のいずれかに移動させる移動制御部と、
前記複数種類の場所と前記データ記憶部への位置関連データの記憶の処理または前記移動ユニットの移動の設定の処理との対応関係を格納している対応関係格納部と、をさらに備え、
前記位置関連データ格納部は、前記複数種類の場所ごとの前記位置関連データを格納しているとともに、
前記移動ユニットの物体側人体通信部は、前記移動ユニットに前記ユーザが乗るときに前記ユーザに接触するように設けられており、
前記ユーザが前記移動ユニットの物体側人体通信部に触れたとき、
前記複数種類の場所のうちの前記移動ユニットが存在している場所に対応する位置関連データが前記対応関係格納部で前記データ記憶部への位置関連データの記憶の処理に対応付けられていた場合には、この位置関連データを前記携帯機の前記データ記憶部に記憶させ、
前記複数種類の場所のうちの前記移動ユニットが存在している場所に対応する位置関連データが前記対応関係格納部で前記移動ユニットの移動の設定の処理に対応付けられていた場合であって、且つ、前記データ記憶部に位置関連データが予め記憶されていた場合には、前記移動制御部によって、前記データ記憶部に記憶された位置関連データに従った場所に前記移動ユニットを移動させることを特徴とする請求項２または３に記載の行動履歴記憶システム。
【請求項１０】
前記物体側人体通信部を有している前記物体は、車両であって、
前記車両は、現在位置を検出する現在位置検出部をさらに備えており、
前記位置関連データ格納部は、前記現在位置検出部で検出した現在位置のデータを前記位置関連データとして格納し、
前記車両の物体側人体通信部は、前記車両から前記ユーザが降車するときに前記ユーザに接触するように設けられていることを特徴とする請求項２または３に記載の行動履歴記憶システム。
【請求項１１】
前記提示部は、前記携帯機の前記データ記憶部に記憶された前記現在位置のデータに従って、当該現在位置のデータに対応する位置から所定の範囲内に前記携帯機を携行する前記ユーザが位置しているかを判定し、位置していると判定した場合に、これを知らせる提示を行わせることを特徴とする請求項１０に記載の行動履歴記憶システム。
【請求項１２】
人体を介してデータの通信を行う表示装置側人体通信部を備え、前記表示装置側人体通信部で受信したデータに従った画像を表示する表示装置をさらに含み、
前記ユーザが前記表示装置の表示装置側人体通信部に触れた場合に、前記ユーザを介した通信によって、前記データ記憶部に記憶している前記位置関連データを、前記携帯機側人体通信部から前記表示装置側人体通信部へ送信することを特徴とする請求項１〜１１に記載の行動履歴記憶システム。
【発明の詳細な説明】
【技術分野】
【０００１】
本発明は、ユーザの行動履歴の記憶を行う行動履歴記憶システムに関するものである。
【背景技術】
【０００２】
従来から、行動履歴を残して、後の行動に役立てる方法が知られている。例えば、人は、自分の記憶やメモ書きなどをもとにして自分の通った場所や自分の触ったものといった位置に関する行動履歴を確認し、忘れ物や駐車場所などを探すことに役立てる。
【０００３】
また、行動履歴が自動的に記録される技術も知られている。例えば、特許文献１に開示されているようなＡＴＭ（automatic tellermachine）では、現金の引き出しや預け入れ等の操作後に得ることが可能な利用明細書に、取り扱い店舗の情報がともに記録されることが知られている。
【特許文献１】特開平１０−２２８５２４号公報
【発明の開示】
【発明が解決しようとする課題】
【０００４】
しかしながら、記憶をもとにして位置に関する行動履歴を確認する方法では、記憶違いなどによって正確な行動履歴を確認することができない場合が多い。また、メモ書きなどをもとにして位置に関する行動履歴を確認する方法では、情報を残すためにユーザがメモを書き残す作業を逐一行う必要があり、ユーザに煩わしさを感じさせてしまう。
【０００５】
一方、特許文献１に開示されているようなＡＴＭでは、取り扱い店舗の情報（つまり、位置に関する行動履歴の情報）を含む利用明細書が得られるものの、現金の引き出しや預け入れ等の操作後に紙媒体への打ち出しを希望しない限り、取り扱い店舗の情報がともに記録された利用明細書をその場で得ることができない。よって、ユーザによる位置に関する行動履歴の情報の持ち出しを可能にするためには、現金の引き出しや預け入れ等の操作および紙媒体への打ち出しの希望等の煩雑な作業が必要となる。
【０００６】
また、ユーザによる位置に関する行動履歴の情報の持ち出しが可能な上述の技術は、紙媒体への打ち出しが可能なＡＴＭに限定的な技術であるため、紙媒体への打ち出しが可能でない機器には適用できず、汎用性に欠けるという問題点を有している。
【０００７】
本発明は、上記従来の問題点に鑑みなされたものであって、その目的は、より汎用的であって、より容易、且つ、より正確に、位置に関する行動履歴をユーザに提示することを可能にする行動履歴記憶システムを提供することにある。
【課題を解決するための手段】
【０００８】
請求項１の行動履歴システムは、上記課題を解決するために、ユーザによって携行される携帯機であって、人体を介してデータの通信を行う携帯機側人体通信部と、データを記憶するデータ記憶部と、を備えている携帯機と、前記ユーザが触れる物体に設けられた、人体を介してデータの通信を行う物体側人体通信部を備えている物体側装置と、を含み、前記ユーザが前記物体の物体側人体通信部に触れることによってその物体側人体通信部と前記携帯機側人体通信部との間での通信が可能となったことに基づいて、前記携帯機は、現在位置に関連するデータである位置関連データを、前記データ記憶部に記憶することを特徴としている。
【０００９】
これによれば、物体の物体側人体通信部にユーザが触れた場合に、ユーザを介した通信によって、ユーザが携行する携帯機のデータ記憶部にこの物体の現在位置に関連するデータである位置関連データが記憶されるので、データ記憶部に記憶されたこの位置関連データをもとに、位置に関する行動履歴をユーザに提示することが可能になる。
【００１０】
また、請求項１の構成によれば、物体の物体側人体通信部にユーザが触れただけで、位置に関する行動履歴をユーザに提示することが可能になるので、より容易に、位置に関する行動履歴をユーザに提示することが可能になる。
【００１１】
さらに、請求項１の構成によれば、データ記憶部に記憶された位置関連データをもとに、位置に関する行動履歴をユーザに提示することが可能なので、人の記憶の場合のような記憶違いを生じさせずに、より正確に、位置に関する行動履歴をユーザに提示することが可能になる。
【００１２】
また、請求項１の構成によれば、ユーザが触れる物体に、物体側人体通信部を備えれば、様々な物体についての位置に関する行動履歴をユーザに提示することが可能になるので、より汎用的である。
【００１３】
また、請求項２の行動履歴記憶システムは、上記課題を解決するために、ユーザによって携行される携帯機であって、人体を介してデータの通信を行う携帯機側人体通信部と、データを記憶するデータ記憶部と、を備えている携帯機と、前記ユーザが触れる物体に設けられた、人体を介してデータの通信を行う物体側人体通信部と、当該物体の現在位置に関連するデータである位置関連データを格納している位置関連データ格納部と、を備えている物体側装置と、を含み、前記ユーザが前記物体の物体側人体通信部に触れた場合に、前記ユーザを介した通信によって、前記位置関連データ格納部に格納している前記位置関連データを、前記物体側人体通信部から前記携帯機側人体通信部へ送信し、前記携帯機側人体通信部で受信したこの位置関連データを前記データ記憶部に記憶することを特徴としている。
【００１４】
これによれば、物体の物体側人体通信部にユーザが触れた場合に、ユーザを介した通信によって、位置関連データ格納部に格納している位置関連データを、物体側人体通信部から携帯機側人体通信部へ送信し、ユーザが携行する携帯機のデータ記憶部にこの物体の現在位置に関連するデータである位置関連データが記憶されるので、データ記憶部に記憶されたこの位置関連データをもとに、位置に関する行動履歴をユーザに提示することが可能になる。
【００１５】
また、物体の物体側人体通信部にユーザが触れただけで、位置に関する行動履歴をユーザに提示することが可能になるので、より容易に、位置に関する行動履歴をユーザに提示することが可能になる。さらに、データ記憶部に記憶された位置関連データをもとに、位置に関する行動履歴をユーザに提示することが可能なので、人の記憶の場合のような記憶違いを生じさせずに、より正確に、位置に関する行動履歴をユーザに提示することが可能になる。また、ユーザが触れる物体に、物体側人体通信部を備えれば、様々な物体についての位置に関する行動履歴をユーザに提示することが可能になるので、より汎用的である。
【００１６】
また、請求項３の行動履歴記憶システムでは、前記携帯機は、前記データ記憶部に記憶された位置関連データに従った提示を行わせる提示部をさらに備えていることを特徴としている。
【００１７】
さらに、請求項４の行動履歴記憶システムでは、前記提示部は、前記データ記憶部に記憶された位置関連データに従って、当該位置関連データに対応する位置を示す地図の提示を行わせることを特徴としている。
【００１８】
請求項３および４のようにすれば、携帯機のデータ記憶部に記憶された位置関連データに従った提示を行うことができるので、より汎用的であって、より容易、且つ、より正確に、位置に関する行動履歴をユーザに提示することができる行動履歴記憶システムを提供することができる。
【００１９】
また、請求項５の行動履歴記憶システムでは、前記位置関連データ格納部は、物体を示すことによってその物体の位置を前記ユーザに想起させることが可能な物体に関して、その物体に固有の識別子のデータを前記位置関連データとして格納するとともに、前記データ記憶部に記憶された前記識別子のデータに従って、当該識別子のデータに対応する物体を示す提示を前記提示部に行わせることを特徴としている。
【００２０】
これによれば、携帯機のデータ記憶部に記憶された物体に固有の識別子のデータに従って、この識別子のデータに対応する物体を示す提示を行うことができる。例えば、ユーザがよく知っている場所に存在している物体などは、その物体の名称や画像をユーザが確認するだけで位置を想起することができるため、請求項５のようにしても、より汎用的であって、より容易、且つ、より正確に、位置に関する行動履歴をユーザに提示することができる行動履歴記憶システムを提供することができる。
【００２１】
また、請求項６の行動履歴記憶システムでは、前記物体側人体通信部を備えている前記物体は複数であって、前記携帯機は、複数の物体の前記位置関連データについて、前記データ記憶部に記憶した順番も前記データ記憶部に記憶しており、前記提示部は、さらに、前記記憶した順番を示す提示も行わせることを特徴としている。
【００２２】
これによれば、ユーザが複数の物体に触れた順番を示す提示を、この複数の物体の位置関連データに従った提示とともに行うことができるので、ユーザが自分の行動履歴を、順序を追ってより詳しく確認することができる。
【００２３】
また、請求項７の行動履歴記憶システムでは、前記携帯機は、前記複数の物体のそれぞれの前記位置関連データの記憶の要否を予め登録してある登録部と、前記複数の物体のうち、記憶が必要であると前記登録部に登録されている物体の前記位置関連データの前記データ記憶部への記憶のみを許可する認証部と、をさらに備えることを特徴としている。
【００２４】
これにより、登録部で記憶が必要であると登録されていない物体から送信される位置関連データについては、データ記憶部に記憶しないようにすることができる。よって、ユーザごとに位置関連データの記憶可能な物体の組み合わせを変更することが可能になる。
【００２５】
また、請求項８の行動履歴記憶システムでは、前記物体側人体通信部を備えている前記物体は、前記ユーザを複数種類の場所に行き来させることが可能な移動ユニットであって、前記移動ユニットは、前記移動ユニットを前記複数種類の場所のいずれかに移動させる移動制御部をさらに備え、前記位置関連データ格納部は、前記複数種類の場所ごとの前記位置関連データを格納しているとともに、前記移動ユニットの物体側人体通信部は、前記移動ユニットに前記ユーザが乗るときに前記ユーザに接触するように設けられており、前記ユーザが前記移動ユニットの物体側人体通信部に触れたときに前記データ記憶部に前記位置関連データが予め記憶されていなかった場合には、前記ユーザを介した通信によって、前記位置関連データ格納部に格納している前記位置関連データのうち、前記複数種類の場所のうちの前記移動ユニットが存在している場所に対応する位置関連データを、前記物体側人体通信部から前記携帯機側人体通信部へ送信し、前記ユーザが前記移動ユニットの物体側人体通信部に触れたときに前記データ記憶部に前記位置関連データが予め記憶されていた場合には、前記移動制御部によって、前記データ記憶部に記憶された前記位置関連データに従った場所に前記移動ユニットを移動させることを特徴としている。
【００２６】
これによれば、ある出発地点から移動ユニットに乗って複数種類の場所のいずれかにユーザが移動した後に、ユーザがこの移動ユニットに再度乗った場合に移動ユニットを移動制御部によって自動的に上述の出発地点まで移動させるので、移動ユニットにユーザが乗ったときに上述の出発地点まで自動的に移動させることが可能になる。
【００２７】
また、請求項９の行動履歴記憶システムでは、前記物体側人体通信部を備えている前記物体は、前記ユーザを複数種類の場所に行き来させることが可能な移動ユニットであって、前記移動ユニットは、前記移動ユニットを前記複数種類の場所のいずれかに移動させる移動制御部と、前記複数種類の場所と前記データ記憶部への位置関連データの記憶の処理または前記移動ユニットの移動の設定の処理との対応関係を格納している対応関係格納部と、をさらに備え、前記位置関連データ格納部は、前記複数種類の場所ごとの前記位置関連データを格納しているとともに、前記移動ユニットの物体側人体通信部は、前記移動ユニットに前記ユーザが乗るときに前記ユーザに接触するように設けられており、前記ユーザが前記移動ユニットの物体側人体通信部に触れたとき、前記複数種類の場所のうちの前記移動ユニットが存在している場所に対応する位置関連データが前記対応関係格納部で前記データ記憶部への位置関連データの記憶の処理に対応付けられていた場合には、この位置関連データを前記携帯機の前記データ記憶部に記憶させ、前記複数種類の場所のうちの前記移動ユニットが存在している場所に対応する位置関連データが前記対応関係格納部で前記移動ユニットの移動の設定の処理に対応付けられていた場合であって、且つ、前記データ記憶部に位置関連データが予め記憶されていた場合には、前記移動制御部によって、前記データ記憶部に記憶された位置関連データに従った場所に前記移動ユニットを移動させることを特徴としている。
【００２８】
この請求項９の構成によっても、請求項８の構成と同様に、ある出発地点から移動ユニットに乗って複数種類の場所のいずれかにユーザが移動した後に、ユーザがこの移動ユニットに再度乗った場合に移動ユニットを移動制御部によって自動的に上述の出発地点まで移動させるので、移動ユニットにユーザが乗ったときに上述の出発地点まで自動的に移動させることが可能になる。
【００２９】
また、請求項１０の行動履歴記憶システムでは、前記物体側人体通信部を有している前記物体は、車両であって、前記車両は、現在位置を検出する現在位置検出部をさらに備えており、前記位置関連データ格納部は、前記現在位置検出部で検出した現在位置のデータを前記位置関連データとして格納し、前記車両の物体側人体通信部は、前記車両から前記ユーザが降車するときに前記ユーザに接触するように設けられていることを特徴としている。
【００３０】
これによれば、ユーザが車両から降車したときに、車両の現在位置のデータを自動的に携帯機のデータ記憶部に記憶しておくことができるので、後にユーザが車両の駐車場所を探すときに、この現在位置のデータに従ってより容易に駐車場所を見つけ出すことが可能になる。
【００３１】
また、請求項１１の行動履歴記憶システムでは、前記提示部は、前記携帯機の前記データ記憶部に記憶された前記現在位置のデータに従って、当該現在位置のデータに対応する位置から所定の範囲内に前記携帯機を携行する前記ユーザが位置しているかを判定し、位置していると判定した場合に、これを知らせる提示を行わせることを特徴としている。
【００３２】
これによれば、車両の現在位置から所定の範囲内に携帯機を携行するユーザが位置している場合に、これを知らせる提示を行うので、車両の駐車場所の近辺に来たことをユーザに知らせることが可能になる。
【００３３】
また、請求項１２の行動履歴記憶システムでは、人体を介してデータの通信を行う表示装置側人体通信部を備え、前記表示装置側人体通信部で受信したデータに従った画像を表示する表示装置をさらに含み、前記ユーザが前記表示装置の表示装置側人体通信部に触れた場合に、前記ユーザを介した通信によって、前記データ記憶部に記憶している前記位置関連データを、前記携帯機側人体通信部から前記表示装置側人体通信部へ送信することを特徴としている。
【００３４】
これによれば、携帯機のデータ記憶部に記憶している位置関連データに従った画像を、携帯機の提示部とは別の表示装置に表示させることによって、位置に関する行動履歴をユーザに提示することができる。
【発明を実施するための最良の形態】
【００３５】
以下、本発明の実施形態について図面を用いて説明を行う。図１は、本発明が適用された行動履歴記憶システム１００の概略的な構成を示す図である。図１に示す行動履歴記憶システム１００は、複数の配置ユニット１ａ〜１ｃおよび携帯機２を含んでいる。
【００３６】
配置ユニット１ａ〜１ｃは、ユーザ３が日常生活等で操作や取り扱いする物体であって、所定の位置に配置されているものとする。なお、配置ユニット１ａ〜１ｃとしては、例えばタンス等の家具、洗濯機等の電化製品、および車両等の機器などがある。また、配置ユニット１ａ〜１ｃは、建物内に配置されていてもよいし、建物外に配置されていてもよい。さらに、配置ユニット１ａ〜１ｃは、固定されているものであってもよいし、一時的に停止しているものであってもよい。
【００３７】
配置ユニット１ａ〜１ｃは、ユニット側通信機１１ａ〜１１ｃとメモリ１６ａ〜１６ｃ（図２参照）とを備えている。ユニット側通信機１１ａ〜１１ｃは、ユーザ３を介した人体通信によってデータの送受信を行うための部材である。なお、人体通信とは、例えば特許文献１に開示されているように、人体を伝送路として用いる通信である。また、本実施形態では、電流方式および電界方式のうちの電界方式によって人体通信を行う場合を例に挙げて以降の説明を行う。
【００３８】
ここで、図２を用いて、配置ユニット１ａ〜１ｃの概略的な構成について説明を行う。なお、ここでは、配置ユニット１ａを例に挙げて説明を行う。図２は、配置ユニット１ａの概略的な構成を示すブロック図である。図２に示すように、配置ユニット１ａはユニット側通信機１１ａおよびメモリ１６ａを備えており、ユニット側通信機１１ａは通信用電極１２ａ、受信部１３ａ、ＣＰＵ１４ａ、および送信部１５ａを備えている。
【００３９】
メモリ１６ａは、ＲＯＭやＲＡＭといった周知の記憶装置であって、配置ユニット１ａの配置場所に関するデータ（以下、配置場所に関するデータを位置データと呼ぶ）と配置ユニット１ａを識別する識別子（つまり、配置ユニット１ａに固有の識別子）である配置ユニット１ａのユニットＩＤのデータとを格納している。よって、メモリ１６ａは、請求項の位置関連データ格納部として機能する。なお、ここで言うところの配置場所に関するデータとは、電子地図上の座標のデータであってもよいし、地名、建物名、店舗名、社名、住所などのデータであってもよい。また、「自宅のキッチン」、「自宅の居間の西角」、「タンスの３段目」など位置や部位を表現したデータであってもよい。
【００４０】
ユニット側通信機１１ａの通信用電極１２ａは、人体通信に用いられる周知の通信用電極と同様のものである。具体的には、通信用電極１２ａは、ユーザ３が配置ユニット１ａを操作または取り扱いした場合に、絶縁体を介してユーザ３に接触可能なように、配置ユニット１ａに設けてある。
【００４１】
ユニット側通信機１１ａの受信部１３ａは、人体通信に用いられる周知の受信部と同様のものであって、後述のユニットＩＤのリクエスト信号が人体通信によって携帯機２の携帯機側通信機２１から送信されてきた場合には、通信用電極１２ａを介してこのリクエスト信号を受信する。そして、受信部１３ａは、受信したユニットＩＤのリクエスト信号をＣＰＵ１４ａに送る。また、後述の位置データのリクエスト信号が人体通信によって携帯機２の携帯機側通信機２１から送信されてきた場合には、通信用電極１２ａを介してこのリクエスト信号を受信する。そして、受信部１３ａは、受信した位置データのユニットＩＤのリクエスト信号をＣＰＵ１４ａに送る。
【００４２】
ユニット側通信機１１ａのＣＰＵ１４ａは、受信部１３ａからユニットＩＤのリクエスト信号を受けた場合、メモリ１６ａに格納されているユニットＩＤのデータを送信部１５ａに送り、送信部１５ａからこのユニットＩＤのデータを、携帯機２の携帯機側通信機２１に向けて送信させる。また、ユニット側通信機１１ａのＣＰＵ１４ａは、受信部１３ａから位置データのリクエスト信号を受けた場合、メモリ１６ａに格納されている位置データを送信部１５ａに送り、送信部１５ａからこの位置データを、携帯機２の携帯機側通信機２１に向けて送信させる。なお、ＣＰＵ１４ａでの処理を指示するプログラムはメモリ１６ａに格納されていてもよいし、メモリ１６ａ以外の図示しない記憶装置に格納されていてもよい。
【００４３】
ユニット側通信機１１ａの送信部１５ａは、人体通信に用いられる周知の送信部と同様のものであって、ＣＰＵ１４ａから受け取った位置データおよびユニットＩＤのデータを、通信用電極１２ａおよびユーザ３を介して、携帯機２の携帯機側通信機２１に向けて送信する。よって、ユニット側通信機１１ａは、請求項の物体側人体通信部として機能する。
【００４４】
なお、図２を用いた説明では、配置ユニット１ａを例に挙げて説明を行ったが、配置ユニット１ｂ・１ｃについても同様である。つまり、配置ユニット１ｂ・１ｃのユニット側通信機１１ｂ・１１ｃは、通信用電極１２ａ、受信部１３ａ、ＣＰＵ１４ａ、および送信部１５ａと同様の機能を有する通信用電極１２ｂ・１２ｃ、受信部１３ｂ・１３ｃ、ＣＰＵ１４ｂ・１４ｃ、および送信部１５ｂ・１５ｃを備えている。
【００４５】
図１に戻って、携帯機２は、ユーザ３の体に装着されたり、ユーザ３に携帯されたりなどすることによってユーザ３に携行される機器である。
【００４６】
ここで、図３を用いて、携帯機２の概略的な構成について説明を行う。図３は、携帯機２の概略的な構成を示すブロック図である。図３に示すように、携帯機２は、携帯機側通信機２１、メモリ２６、登録部２７、認証部２８、および表示部２９を備えている。また、携帯機側通信機２１は、ＣＰＵ２２、送信部２３、通信用電極２４、および受信部２５を備えている。携帯機側通信機２１は、ユーザ３を介した人体通信によってデータの送受信を行うための部材である。
【００４７】
携帯機側通信機２１のＣＰＵ２２は、配置ユニット１ａ〜１ｃのユニット側通信機１１ａ〜１１ｃいずれかと携帯機２の携帯機側通信機２１との間での人体通信が確立したときに、上述のユニットＩＤのデータの送信を要求するユニットＩＤのリクエスト信号を送信部２３に送る。そして、送信部２３からこのリクエスト信号を、配置ユニット１ａ〜１ｃのうちのユーザ３が接触している配置ユニットのユニット側通信機に向けて送信させる。また、ＣＰＵ２２は、後述する認証部２８で認証が行われた場合に、認証が行われた配置ユニットの位置データの送信を要求する位置データのリクエスト信号を送信部２３に送る。なお、ＣＰＵ２２の他の機能については後述する。なお、ＣＰＵ２２での処理を指示するプログラムはメモリ２６に格納されていてもよいし、メモリ２６以外の図示しない記憶装置に格納されていてもよい。
【００４８】
携帯機側通信機２１の送信部２３は、人体通信に用いられる周知の送信部と同様のものであって、ＣＰＵ２２からユニットＩＤのリクエスト信号または位置データのリクエスト信号を受け取った場合に、このリクエスト信号を、通信用電極２４およびユーザ３を介して、配置ユニット１ａ〜１ｃのうちのユーザ３が接触している配置ユニットのユニット側通信機に送信する。
【００４９】
携帯機側通信機２１の通信用電極２４は、人体通信に用いられる周知の通信用電極と同様のものである。具体的には、通信用電極２４は、ユーザ３が携帯機２を携行している場合に、絶縁体を介してユーザ３に接触可能なように、携帯機２に設けてある。
【００５０】
携帯機側通信機２１の受信部２５は、人体通信に用いられる周知の受信部と同様のものであって、配置ユニット１ａ〜１ｃのユニット側通信機１１ａ〜１１ｃいずれかから位置データまたはユニットＩＤのデータが人体通信によって送信されてきた場合には、通信用電極２４を介してこのデータを受信する。そして、送信部２３は、受信したこのデータをＣＰＵ２２に送る。よって、携帯機側通信機２１は、請求項の携帯機側人体通信部として機能する。
【００５１】
続いて、メモリ２６は、ＲＡＭのように書き込み可能な周知の記憶装置であって、人体通信によって受信した上述の位置データを記憶するものである。よって、メモリ２６は、請求項のデータ記憶部として機能する。なお、メモリ２６に記憶されるデータは、図示しない操作入力部によってユーザ３からのデータの消去の指示入力を受け付けることによって消去される構成であってもよいし、記憶されてから一定時間が経過したときに消去される構成であってもよいし、携帯機２の電源がオフになった場合に消去される構成であってもよいし、他の方法によるものであってもよい。
【００５２】
また、ＣＰＵ２２は、受信部２５からユニットＩＤのデータを受け取ったときに、このユニットＩＤのデータを認証部２８に送る。一方、ＣＰＵ２２は、受信部２３から位置データを受け取ったときに、この位置データをメモリ２６に記憶する。なお、ＣＰＵ２２は、位置データをメモリ２６に記憶する場合に、メモリ２６に記憶した順番を位置データに対応付ける。例えば、配置ユニット１ｃの位置データ、配置ユニット１ａの位置データの順にメモリ２６に記憶が行われるとした場合の一例を示すと、配置ユニット１ｃの位置データをメモリ２６に記憶する場合には、一番目を示すＩＤなどを対応付け、配置ユニット１ａの位置データをメモリ２６に記憶する場合には、二番目を示すＩＤなどを対応付ければよい。
【００５３】
なお、本実施形態では、複数の配置ユニットの位置データをメモリ２６に記憶する場合に、記憶した順番もＣＰＵ２２によってメモリ２６に記憶する構成を示したが、必ずしもこれに限らない。例えば、複数の配置ユニットの位置データをメモリ２６に順番に記憶することによって、記憶した順番を位置データのメモリ２６での並び順として記憶する構成であってもよい。
【００５４】
登録部２７は、配置ユニット１ａ〜１ｃのうち、位置データの記憶が必要であるものとしてユーザ３に選択された配置ユニットのユニットＩＤのデータを予め登録している。つまり、登録部２７は、複数の配置ユニットのそれぞれの位置データの記憶の要否を予め登録している。なお、この登録は、図示しない操作入力部によってユーザ３からの位置データの記憶の要否の入力を受け付けることによって変更可能であるものとする。
【００５５】
認証部２８は、ＣＰＵ２２から送られてきたユニットＩＤのデータと登録部２７に登録されているユニットＩＤのデータとを照合し、ＣＰＵ２２から送られてきたユニットＩＤのデータが登録部２７に登録されていた場合には認証を行う。また、ＣＰＵ２２から送られてきたユニットＩＤのデータが登録部２７に登録されていなかった場合には認証を行わない。
【００５６】
表示部２９は、メモリ２６に記憶された位置データに従った画像の表示を行う。例えば、表示部２９は、位置データが示す位置を表す地図を表示する。よって、表示部２９は請求項の提示部として機能する。表示部２９は、例えば、液晶ディスプレイ、有機ＥＬディスプレイ、プラズマディスプレイ等を用いて構成することができる。なお、表示部２９での画像の表示は、例えば図示しない操作入力部によってユーザ３から上述の地図の表示を要求する入力が行われた場合に、ＣＰＵ２２がメモリ２６から位置データを読み出して表示部２９に送ることによって行われる。また、メモリ２６に複数の位置データが記憶されていた場合には、メモリ２６に記憶されている上述の順番（つまり、これらの位置データがメモリ２６に記憶された順番）に沿って、位置データに従った画像の表示を行う。例えば、上述の地図上において、位置データが示す位置を上述の順番に点滅表示させたり、位置データが示す位置に順番を示す番号を表示させたりなどする構成とすればよい。
【００５７】
なお、本実施形態では、表示部２９に位置データが示す位置を表す地図を表示する構成を示したが、必ずしもこれに限らない。例えば、位置データが示す位置を表すテキストデータを表示する構成であってもよい。また、ユーザ３がよく知っている場所に存在している配置ユニットなどは、その配置ユニットの名称や画像をユーザが確認するだけで位置を想起することができるため、位置データの代わりにユニットＩＤのデータに従って、このユニットＩＤのデータに対応する配置ユニットを示す表示を行う構成としてもよい。例えば、ユニットＩＤのデータに従って、このユニットＩＤのデータに対応する配置ユニットの画像や名称を表示する構成とすればよい。これらの場合においても、メモリ２６に複数の位置データやユニットＩＤのデータが記憶されていた場合には、メモリ２６に記憶されている上述の順番に沿って、テキストデータや画像の表示を行う。例えば、テキストデータや画像を上述の順番に沿って並べたリストを表示したりなどする構成とすればよい。よって、位置データおよびユニットＩＤのデータは、請求項の位置関連データとして機能する。
【００５８】
また、本実施形態では、表示部２９に画像やテキストデータを表示することによってユーザ３に提示を行う構成を示したが、必ずしもこれに限らない。例えば、音声出力装置を備えることによって、この音声出力装置から位置データに従った位置を示す音声ガイダンスやユニットＩＤのデータに対応する配置ユニットの名称を示す音声ガイダンスを行う構成であってもよい。
【００５９】
次に、図４および図５を用いて、配置ユニット１ａ〜１ｃおよび携帯機２での動作フローについての説明を行う。まず、配置ユニット１ａ〜１ｃでの動作フローについての説明を行う。なお、ここでは、配置ユニット１ａを例に挙げて説明を行う。図４は、配置ユニット１ａでの動作フローを示すフローチャートである。また、図４のフローは、ユニット側通信機１１ａへの電源供給が行われたときに開始される。
【００６０】
まず、ステップＳ１では、配置ユニット１ａのユニット側通信機１１ａの通信用電極１２ａに携帯機２を携行したユーザ３が接触した場合（ステップＳ１でＹｅｓ）には、ステップＳ２に移る。つまり、配置ユニット１ａの操作・取り扱いありの場合には、ステップＳ２に移る。また、配置ユニット１ａの操作・取り扱いなしであった場合（ステップＳ１でＮｏ）には、ステップＳ１のフローを繰り返す。
【００６１】
ステップＳ２では、人体通信によって、配置ユニット１ａのユニットＩＤのデータをユニット側通信機１１ａから携帯機側通信機２１に送信し、ステップＳ３に移る。
【００６２】
ステップＳ３では、ステップＳ２で送信したユニットＩＤのデータをもとに認証が行われたとユニット側通信機１１ａのＣＰＵ１４ａで判断した場合（ステップＳ３でＹｅｓ）には、ステップＳ４に移る。また、認証が行われなかったと判断した場合（ステップＳ３でＮｏ）には、ステップＳ１に戻ってフローをユニット側通信機１１ａへの電源供給が停止されるまで繰り返す。なお、認証が行われたか否かの判断は、携帯機側通信機２１から人体通信によって送信された位置データのリクエスト信号をユニット側通信機１１ａで受信したか否かによって行う構成とすればよい。
【００６３】
ステップＳ４では、人体通信によって、配置ユニット１ａの位置データをユニット側通信機１１ａから携帯機側通信機２１に送信する。そして、ステップＳ１に戻ってフローを繰り返す。なお、図４のフローは、ユニット側通信機１１ａへの電源供給が停止されたときに終了する。
【００６４】
続いて、携帯機２での動作フローについての説明を行う。図５は、携帯機２での動作フローを示すフローチャートである。なお、ここでは、配置ユニット１ａとの間で人体通信が確立した場合を例に挙げて説明を行う。また、図５のフローは、携帯機２の電源がオンされたときに開始される。
【００６５】
まず、ステップＳ１１では、配置ユニット１ａのユニット側通信機１１ａと携帯機２の携帯機側通信機２１との間で人体通信が確立したときに、人体通信によって、ユニットＩＤのリクエスト信号を携帯機側通信機２１からユニット側通信機１１ａに送信し、ステップＳ１２に移る。
【００６６】
ステップＳ１２では、配置ユニット１ａのユニット側通信機１１ａから人体通信によって送信されたユニットＩＤのデータを携帯機側通信機２１で受信したか否かを携帯機側通信機２１のＣＰＵ２２が判断する。そして、ユニットＩＤのデータを受信したと判断した場合（ステップＳ１２でＹｅｓ）には、ステップＳ１３に移る。また、ユニットＩＤのデータを受信したと判断しなかった場合には、ステップＳ１２のフローを繰り返す。
【００６７】
ステップＳ１３では、ステップＳ１２で送信したユニットＩＤのデータをもとに認証部２８で認証の可否を判定する。そして、認証が行われた場合（ステップＳ１３でＹｅｓ）には、携帯機側通信機２１から位置データのリクエスト信号をユニット側通信機１１ａに向けて送信し、ステップＳ１４に移る。また、認証が行われなかった場合（ステップＳ１３でＮｏ）には、ステップＳ１１に戻ってフローを繰り返す。
【００６８】
ステップＳ１４では、配置ユニット１ａのユニット側通信機１１ａから人体通信によって送信された位置データを携帯機側通信機２１で受信したか否かを携帯機側通信機２１のＣＰＵ２２が判断する。そして、位置データを受信したと判断した場合（ステップＳ１４でＹｅｓ）には、ステップＳ１５に移る。また、位置データを受信したと判断しなかった場合には、ステップＳ１４のフローを繰り返す。
【００６９】
ステップＳ１５では、受信した位置データを、ＣＰＵ２２がメモリ２６に記憶する。そして、ステップＳ１１に戻ってフローを繰り返す。なお、図５のフローは、携帯機２の電源がオフされたときに終了する。
【００７０】
以上の構成によれば、配置ユニット１ａ〜１ｃのユニット側通信機１１ａ〜１１ｃのいずれかにユーザ３が触れた場合に、ユーザ３を介した通信によって、ユーザ３が携行する携帯機２のメモリ２６にユーザ３が触れたユニット側通信機を備える配置ユニットの位置データが記憶され、メモリ２６に記憶されたこの位置データをもとに、位置に関する行動履歴を表示部２９によってユーザ３に提示することができる。また、以上の構成によれば、配置ユニットのユニット側通信機にユーザ３が触れただけで、位置に関する行動履歴をユーザ３に提示することが可能になるので、より容易に、位置に関する行動履歴をユーザ３に提示することが可能になる。さらに、以上の構成によれば、メモリ２６に記憶された位置データをもとに、位置に関する行動履歴をユーザに提示することが可能なので、人の記憶の場合のような記憶違いを生じさせずに、より正確に、位置に関する行動履歴をユーザ３に提示することが可能になる。他にも、以上の構成によれば、ユーザ３が触れる物体に、ユニット側通信機を備えれば、様々な物体についての位置に関する行動履歴をユーザ３に提示することが可能になるので、より汎用的である。
【００７１】
また、以上の構成によれば、表示部２９において、ユーザ３が複数の配置ユニット（詳しくは配置ユニットのユニット側通信機）に触れた順番を示す提示を、この複数の配置ユニットの位置データまたはユニットＩＤのデータに従った提示とともに行うことができるので、ユーザ３が自分の行動履歴を、順序を追ってより詳しく確認することができる。
【００７２】
さらに、以上の構成によれば、登録部２７で記憶が必要であると登録されていない配置ユニットから送信される位置データおよびユニットＩＤのデータについては、携帯機側通信機２１のメモリ２６に記憶しないようにすることができる。よって、ユーザごとに位置データの記憶可能な配置ユニットの組み合わせを変更することが可能になる。
【００７３】
なお、本実施形態では、行動履歴記憶システム１００に配置ユニット１ａ〜１ｃの３つの配置ユニットを含む構成を示したが、必ずしもこれに限らない。例えば、行動履歴記憶システム１００に１つの配置ユニットしか含まない構成であってもよいし、３つ以外の複数の配置ユニットを含む構成であってもよい。
【００７４】
また、配置ユニットは１つの構成物の中の一部位であってもよく、１つの構成物の中に配置ユニットが複数含まれていてもよい。例えば、タンスの引き出しの１段ずつが本実施形態の配置ユニットであって、この１段ずつに「タンスの１段目」、「タンスの２段目」などといった位置データが割り振られている構成であってもよい。
【００７５】
なお、本実施形態では、携帯機２に登録部２７および認証部２８を備えることによって、予め登録されていない配置ユニットの位置データやユニットＩＤのデータのメモリ２６への記憶を禁止する構成を示したが、必ずしもこれに限らない。例えば、携帯機２に登録部２７および認証部２８を備えない構成であってもよい。
【００７６】
以上、本発明の実施形態を説明したが、本発明は上述の実施形態に限定されるものではなく、次の実施形態も本発明の技術的範囲に含まる。以下では、この次の実施形態について図面を用いて説明を行う。図６は、本発明が適用された行動履歴記憶システム１０１の概略的な構成を示す図である。なお、説明の便宜上、前述の実施形態の説明に用いた図に示した部材と同一の機能を有する部材については、同一の符号を付し、その説明を省略する。
【００７７】
図６に示す行動履歴記憶システム１０１は、車両４、携帯機５、および表示装置６を含んでいる。
【００７８】
車両４は、駐車場の駐車枠１０内に駐車されている駐車車両であって、車両側通信機４１と車載位置検出器４６（図７参照）とを備えている。車両側通信機４１は、ユーザ３を介した人体通信によってデータの送受信を行うための部材である。
【００７９】
ここで、図７を用いて、車両４の概略的な構成について説明を行う。図７は、車両４の概略的な構成を示すブロック図である。なお、図７では、車両４に備えられる部材のうち、本発明に特徴的な構成の説明に不要な部材（つまり、車両に一般的に備えられる部材等）については図示および説明を省略している。図７に示すように、車両４は車両側通信機４１、車載位置検出器４６、およびメモリ４７を備えており、車両側通信機４１は通信用電極４２、受信部４３、ＣＰＵ４４、および送信部４５を備えている。
【００８０】
車載位置検出器４６は、車両の現在位置を検出する機器であって、例えば車載ナビゲーション装置に用いられる周知の位置検出器を用いることが可能である。よって、車載位置検出器４６は、請求項の現在位置検出部として機能する。また、車載位置検出器４６は、検出した現在位置のデータをメモリ４７に記憶（格納）する。なお、車載位置検出器４６は、起動中は定期的に現在位置の検出を行う。そして、新しく現在位置の検出を行うごとに、メモリ４７に新しい現在位置のデータを上書きし、車両４の駐車時には駐車位置における現在位置のデータを上書きする。なお、ここで言うところの定期的とは、例えば数秒ごとである。
【００８１】
メモリ４７は、ＲＡＭのように書き込み可能な周知の記憶装置であって、上述したように、車両４の現在位置のデータを格納している。よって、メモリ４７は、請求項の位置関連データ格納部として機能する。なお、ここで言うところの現在位置のデータとは、例えば電子地図上の座標のデータである。
【００８２】
車両側通信機４１の通信用電極４２は、設置場所が異なる以外は、通信用電極１２ａ〜１２ｃと同様のものである。具体的には、通信用電極４２は、ユーザ３が車両４から降車するときに、絶縁体を介してユーザ３に接触可能なように車両４に設けてある。例えば、通信用電極４２は、車両４のドアノブに設ければよい。
【００８３】
車両側通信機４１の受信部４３および送信部４５は、それぞれ受信部１３ａ〜１３ｃおよび送信部１５ａ〜１５ｃと同様のものである。また、車両側通信機４１のＣＰＵ４４は、ユーザ３の降車を判断したときに人体通信によって携帯機５の携帯機側通信機５１に降車を知らせる信号を送信させる機能以外は、ＣＰＵ１４ａ〜１４ｃと同様のものである。なお、ＣＰＵ４４は、図示しない着座センサで着座を検出しなくなったことなどをもとにユーザ３の降車時を判断すればよい。また、車両側通信機４１では、後述の現在位置のデータのリクエスト信号が人体通信によって携帯機５の携帯機側通信機５１から送信されてきた場合に、通信用電極４２、受信部４３、ＣＰＵ４４、および送信部４５によって、メモリ４７に格納されている現在位置のデータを、携帯機側通信機５１に向けて送信させる。
【００８４】
また、携帯機５は、登録部２７、認証部２８、および表示部２９の代わりに後述する携帯機側位置検出部５７および報知部５８を備えている以外は、携帯機２と同様のものである。
【００８５】
ここで、図８を用いて、携帯機５の概略的な構成について説明を行う。図８は、携帯機５の概略的な構成を示すブロック図である。図８に示すように、携帯機５は、携帯機側通信機５１、メモリ５６、携帯機側位置検出部５７、および報知部５８を備えている。また、携帯機側通信機５１は、ＣＰＵ５２、送信部５３、通信用電極５４、および受信部５５を備えている。携帯機側通信機５１は、ユーザ３を介した人体通信によってデータの送受信を行うための部材である。
【００８６】
携帯機側通信機５１の送信部５３、通信用電極５４、および受信部５５は、それぞれ送信部２３、通信用電極２４、および受信部２５と同様のものである。また、メモリ５６はメモリ２６と同様のものである。さらに、携帯機側通信機５１のＣＰＵ５２は、後述する駐車位置接近の判定および報知の指示に関する機能以外は、ＣＰＵ２２と同様のものである。携帯機側通信機５１では、ＣＰＵ５２、送信部５３、通信用電極５４、および受信部５５によって、上述の降車を知らせる信号を受信した場合に現在位置のデータのリクエスト信号を、車両側通信機４１に向けて送信させる。また、携帯機側通信機５１では、後述の現在位置のデータが人体通信によって車両４の車両側通信機４１から送信されてきた場合に、ＣＰＵ５２、通信用電極５４、および受信部５５によって、受信した現在位置のデータをメモリ５６に記憶させる。
【００８７】
また、携帯機側通信機５１は、携帯機５を携行するユーザ３が後述する表示装置６の表示装置側通信機６１に触れた場合に、メモリ５６に記憶した現在位置のデータを人体通信によって表示装置側通信機６１に送信する。
【００８８】
携帯機側位置検出部５７は、携帯機５の現在位置を検出する機器であって、例えば周知のＧＰＳ受信機を用いることが可能である。また、携帯機側位置検出部５７は、検出した現在位置のデータをＣＰＵ５２に送る。なお、携帯機側位置検出部５７は、起動中は定期的に現在位置の検出を行う。なお、ここで言うところの定期的とは、例えば数秒ごとである。
【００８９】
報知部５８は、駐車位置が近いことをユーザ３に知らせる報知を行う部材であって、ＣＰＵ５２から指示が行われた場合に上述の報知を行う。よって、報知部５８は、請求項の提示部として機能する。例えば、報知部５８は、振動を発生させることによって駐車位置が近いことをユーザ３に知らせる振動子であってもよい。また、報知部５８は、音声によって駐車位置が近いことをユーザ３に知らせる音声出力装置であってもよい。
【００９０】
ここで、ＣＰＵ５２による駐車位置接近の判定および報知の指示についての説明を行う。ＣＰＵ５２は、図示しない操作入力部によってユーザ３からの駐車位置接近の報知を要求する入力を受け付けた場合に、駐車位置接近の判定を開始する。駐車位置接近の判定では、ＣＰＵ５２が、携帯機側位置検出部５７で検出した現在位置のデータをメモリ２６に記憶されている現在位置のデータと比較し、車両４の駐車位置（つまり、メモリ２６に記憶されている現在位置のデータが示す位置）から所定の範囲内に携帯機５を携行するユーザ３が位置している場合に、駐車位置に接近したと判定する。また、この駐車位置接近の判定は、携帯機側位置検出部５７で現在位置の検出が行われるごとに逐次行われるものとする。なお、ここで言うところの所定の範囲内とは、ユーザ３が容易に車両４を見つけ出すことができる程度の距離（例えば３ｍ）であって、任意に設定可能な値である。また、ＣＰＵ５２は、駐車位置に接近したと判定した場合には、報知を行わせる指示を報知部５８に行い、報知部５８で報知を行わせる。
【００９１】
また、図９を用いて、機器機５において上述の報知が行われるまでの動作フローについての説明を行う。図９は、機器機５での報知に関する動作フローを示すフローチャートである。また、図９のフローは、図示しない操作入力部によってユーザ３からの駐車位置接近の報知を要求する入力を受け付けたときに開始される。なお、ここでは、携帯機５のメモリ５６に車両４の駐車位置を示す現在位置のデータが既に記憶されているものとして説明を行う。
【００９２】
ステップＳ２１では、ＣＰＵ５２が、上述の駐車位置接近の判定を行う。そして、駐車位置に接近したと判定した場合（ステップＳ２１でＹｅｓ）には、ステップＳ２２に移る。また、駐車位置に接近したと判定しなかった場合（ステップＳ２１でＮｏ）には、ステップＳ２１に戻ってフローを繰り返す。
【００９３】
ステップＳ２２では、報知部５８が、駐車位置が近いことをユーザ３に知らせる上述の報知を行ってフローを終了する。
【００９４】
図６に戻って、表示装置６は、上述した駐車場を案内するための地図およびこの地図中での車両４の駐車位置を表示するものであって、液晶ディスプレイ、有機ＥＬディスプレイ、プラズマディスプレイ等を用いて構成することができる。また、表示装置６は、例えば上述した駐車場の出入口に設置されているものとする。
【００９５】
ここで、図１０を用いて、表示装置６の概略的な構成について説明を行う。図１０は、表示装置６の概略的な構成を示すブロック図である。図１０に示すように、表示装置６は、表示装置側通信機６１および表示パネル部６５を備えている。また、表示装置側通信機６１は、通信用電極６２、受信部６３、およびＣＰＵ６４を備えている。表示装置側通信機６１は、ユーザ３を介した人体通信によってデータの送受信を行うための部材である。
【００９６】
表示パネル部６５は、表示装置側通信機６１で受信した現在位置のデータに従って、上述した駐車場を案内するための地図中での車両４の駐車位置を表示する。
【００９７】
表示装置側通信機６１の通信用電極６２は、設置場所が異なる以外は、通信用電極１２ａ〜１２ｃと同様のものである。具体的には、通信用電極６２は、ユーザ３が表示装置６の操作を行うときに、絶縁体を介してユーザ３に接触可能なように表示装置６に設けてある。例えば、通信用電極６２は、表示装置６の操作部などに設ければよい。
【００９８】
表示装置側通信機６１の受信部６３およびＣＰＵ６４は、それぞれ受信部１３ａ〜１３ｃ、およびＣＰＵ１４ａ〜１４ｃと同様のものである。表示装置側通信機６１では、現在位置のデータが人体通信によって携帯機５の携帯機側通信機５１から送信されてきた場合に、通信用電極６２、受信部６３、およびＣＰＵ６４によって、この現在位置のデータを表示パネル部６５に送る。
【００９９】
以上の構成によれば、ユーザ３が車両４から降車したときに、車両４の現在位置のデータを自動的に携帯機５のメモリ５６に記憶しておくことができるので、後にユーザ３が車両４の駐車場所を探すときに、この現在位置のデータに従ってより容易に駐車場所を見つけ出すことが可能になる。また、車両４の現在位置から所定の範囲内に携帯機５を携行するユーザ３が位置した場合に、報知部５８によってこれを知らせる報知を行うので、車両４の駐車場所の近辺に来たことをユーザ３に知らせることが可能になる。
【０１００】
なお、本実施形態では、携帯機５に携帯機側位置検出部５７および報知部５８を備える構成を示したが、必ずしもこれに限らず、携帯機５に携帯機側位置検出部５７および報知部５８を備えない構成であってもよい。また、この場合、周知のスマートキーシステムの電子キーに携帯機側通信機５１を備えることによって、この電子キーを携帯機５として用いる構成としてもよい。
【０１０１】
また、本実施形態では、行動履歴記憶システム１０１に表示装置６を含む構成を示したが、必ずしもこれに限らない。例えば、携帯機５に携帯機２の表示部２９と同様の部材を備える場合には、表示装置６を行動履歴記憶システム１０１に含まない構成としてもよい。
【０１０２】
また、本発明は前述の実施形態に限定されるものではなく、さらに次の実施形態も本発明の技術的範囲に含まる。以下では、この次の実施形態について図面を用いて説明を行う。図１１は、本発明が適用された行動履歴記憶システム１０２の概略的な構成を示す図である。なお、説明の便宜上、前述の実施形態の説明に用いた図に示した部材と同一の機能を有する部材については、同一の符号を付し、その説明を省略する。
【０１０３】
図１１に示す行動履歴記憶システム１０２は、エレベータ７、エレベータ操作部８、および携帯機９を含んでいる。
【０１０４】
エレベータ７は、ユーザ３を載せて複数の階（図１１の例では１階〜４階）を行き来することが可能な周知の昇降機であって、エレベータ操作部８と一体になっている。よって、エレベータ７およびエレベータ操作部８は、請求項の移動ユニットとして機能する。また、エレベータ操作部８は、ユーザ３からの操作（例えば、図示しない操作ボタンへの入力）を受け付け、この操作に応じてエレベータ７の昇降や扉の開閉を制御したりなどするものである。
【０１０５】
ここで、図１２を用いて、エレベータ操作部８の概略的な構成について説明を行う。図１２は、エレベータ操作部８の概略的な構成を示すブロック図である。なお、図１２では、エレベータ操作部８に備えられる部材のうち、本発明に特徴的な構成の説明に不要な部材については図示および説明を省略している。図１２に示すように、エレベータ操作部８は操作部側通信機８１、停止階数検出部８６、メモリ８７、および駆動制御部８８を備えており、操作部側通信機８１は通信用電極８２、受信部８３、ＣＰＵ８４、および送信部８５を備えている。
【０１０６】
停止階数検出部８６は、エレベータ７の停止階数を検出する周知の停止階検出器である。また、停止階数検出部８６は、検出した停止階数のデータをメモリ８７に記憶（格納）する。なお、停止階数検出部８６は、新しく停止階数の検出を行うごとに、メモリ８７に新しい停止階数のデータを上書きする。
【０１０７】
メモリ８７は、ＲＡＭのように書き込み可能な周知の記憶装置であって、上述したように、エレベータ７の停止階数のデータを格納している。よって、メモリ８７は、請求項の位置関連データ格納部として機能する。また、駆動制御部８８は、エレベータ７の駆動を制御する。よって、駆動制御部８８は、請求項の移動制御部として機能する。
【０１０８】
操作部側通信機８１の通信用電極８２は、設置場所が異なる以外は、通信用電極１２ａ〜１２ｃと同様のものである。具体的には、通信用電極８２は、ユーザ３がエレベータ７に乗るときに、絶縁体を介してユーザ３に接触可能なようにエレベータ７に設けてある。本実施形態では、例として通信用電極８２が上述した操作ボタンと一体に設けられているものとして説明を行う。
【０１０９】
なお、本実施形態では、通信用電極８２がエレベータ操作部８の操作ボタンと一体に設けられている構成を示したが、必ずしもこれに限らない。例えば、通信用電極８２は、エレベータ７のボックスの床面に設けられていてもよい。
【０１１０】
操作部側通信機８１の受信部８３および送信部８５は、それぞれ受信部１３ａ〜１３ｃおよび送信部１５ａ〜１５ｃと同様のものである。また、操作部側通信機８１のＣＰＵ８４は、エレベータ７の行き先の自動設定を行う機能以外は、ＣＰＵ１４ａ〜１４ｃと同様のものである。なお、自動設定については後に詳述する。また、操作部側通信機８１では、後述の停止階数のデータのリクエスト信号が人体通信によって携帯機９の携帯機側通信機９１から送信されてきた場合に、通信用電極８２、受信部８３、ＣＰＵ８４、および送信部８５によって、メモリ８７に格納されている停止階数のデータを、携帯機側通信機９１に向けて送信させる。
【０１１１】
また、ＣＰＵ８４は、停止階数のデータが人体通信によって携帯機９の携帯機側通信機９１から送信されてきた場合に、通信用電極８２を介して受信部８３で受信した停止階数のデータに従った階数までエレベータ７（詳しくはエレベータ７のボックス）を移動させる指示を駆動制御部８８に行う（つまり、自動設定を行う）。なお、駆動制御部８８は、この指示に従った階数までエレベータ７を移動させる。
【０１１２】
また、携帯機９は、登録部２７、認証部２８、および表示部２９を備えていない以外は、携帯機２と同様のものである。
【０１１３】
ここで、図１３を用いて、携帯機９の概略的な構成について説明を行う。図１３は、携帯機９の概略的な構成を示すブロック図である。図１３に示すように、携帯機９は、携帯機側通信機９１およびメモリ９６を備えている。また、携帯機側通信機９１は、ＣＰＵ９２、送信部９３、通信用電極９４、および受信部９５を備えている。携帯機側通信機９１は、ユーザ３を介した人体通信によってデータの送受信を行うための部材である。
【０１１４】
携帯機側通信機９１の送信部９３、通信用電極９４、および受信部９５は、それぞれ送信部２３、通信用電極２４、および受信部２５と同様のものである。また、メモリ９６はメモリ２６と同様のものである。
【０１１５】
携帯機側通信機９１のＣＰＵ９２は、エレベータ操作部８の操作部側通信機８１と携帯機側通信機９１との間での人体通信が確立したときに、メモリ９６に停止階数のデータが記憶されているか否かを判定する。そして、メモリ９６に停止階数のデータが記憶されていると判定されなかったときに、停止階数のデータの送信を要求する停止階数のデータのリクエスト信号を送信部９３から携帯機側通信機９１に向けて送らせる。また、メモリ９６に停止階数のデータが記憶されていると判定されたときには、メモリ９６に記憶されている停止階数のデータを送信部９３から携帯機側通信機９１に向けて送らせる。
【０１１６】
次に、図１４および図１５を用いて、エレベータ操作部８および携帯機９での動作フローについての説明を行う。まず、エレベータ操作部８での動作フローについての説明を行う。図１４は、エレベータ操作部８での動作フローを示すフローチャートである。また、図１４のフローは、エレベータ操作部８への電源供給が行われたときに開始される。
【０１１７】
まず、ステップＳ３１では、エレベータ操作部８の操作部側通信機８１の通信用電極８２に携帯機９を携行したユーザ３が接触した場合（ステップＳ３１でＹｅｓ）には、ステップＳ３２に移る。つまり、エレベータ操作部８の操作ありの場合には、ステップＳ３２に移る。また、エレベータ操作部８の操作なしであった場合（ステップＳ３１でＮｏ）には、ステップＳ３１のフローを繰り返す。
【０１１８】
ステップＳ３２では、人体通信によって、停止階数のデータのリクエスト信号または停止階数のデータを操作部側通信機８１が携帯機側通信機９１から受信（つまり、データ受信）し、ステップＳ３３に移る。
【０１１９】
ステップＳ３３では、停止階数のデータのリクエスト信号を受信した場合、つまり、携帯機９のメモリ９６に停止階数のデータの記憶なしの場合（ステップＳ３３でＮｏ）には、ステップＳ３４に移る。また、停止階数のデータを受信した場合、つまり、携帯機９のメモリ９６に停止階数のデータの記憶ありの場合（ステップＳ３３でＹｅｓ）には、ステップＳ３５に移る。
【０１２０】
ステップＳ３４では、人体通信によって、メモリ８７に格納されている停止階数のデータを、操作部側通信機８１から携帯機側通信機９１に向けて送信させる。そして、ステップＳ３１に戻ってフローを繰り返す。
【０１２１】
ステップＳ３５では、受信部８３で受信した停止階数のデータに従った階数までエレベータ７を移動させる指示をＣＰＵ８４が駆動制御部８８に行い（つまり、自動設定を行い）、ステップＳ３６に移る。
【０１２２】
ステップＳ３６では、人体通信によって、携帯機９のメモリ９６に記憶されている停止階数のデータを消去させる指示信号（以下、消去指示信号と呼ぶ）を、操作部側通信機８１から携帯機側通信機９１に向けて送信させ、フローを終了する。
【０１２３】
続いて、携帯機９での動作フローについての説明を行う。図１５は、携帯機９での動作フローを示すフローチャートである。なお、図１５のフローは、携帯機９の電源がオンされたときに開始される。
【０１２４】
まず、ステップＳ４１では、エレベータ操作部８の操作部側通信機８１と携帯機側通信機９１との間で人体通信が確立したときに、メモリ９６に停止階数のデータが記憶されているか否かをＣＰＵ９２が判定する。そして、携帯機９のメモリ９６に停止階数のデータの記憶なしと判定した場合（ステップＳ４１でＮｏ）には、ステップＳ４２に移る。また、携帯機９のメモリ９６に停止階数のデータの記憶ありと判定した場合（ステップＳ４１でＹｅｓ）には、ステップＳ４５に移る。
【０１２５】
ステップＳ４２では、人体通信によって、停止階数のデータのリクエスト信号を携帯機側通信機９１から操作部側通信機８１に送信し、ステップＳ４３に移る。
【０１２６】
ステップＳ４３では、エレベータ操作部８の操作部側通信機８１から人体通信によって送信された停止階数のデータを携帯機側通信機９１で受信したか否かをＣＰＵ９２が判断する。そして、停止階数のデータを受信したと判断した場合（ステップＳ４３でＹｅｓ）には、ステップＳ４４に移る。また、停止階数のデータを受信したと判断しなかった場合には、ステップＳ４３のフローを繰り返す。
【０１２７】
ステップＳ４４では、受信した停止階数のデータを、ＣＰＵ９２がメモリ９６に記憶する。そして、ステップＳ４１に戻ってフローを繰り返す。
【０１２８】
ステップＳ４５では、人体通信によって、メモリ９６に記憶されている停止階数のデータを携帯機側通信機９１から操作部側通信機８１に送信し、ステップＳ４６に移る。
【０１２９】
ステップＳ４６では、エレベータ操作部８の操作部側通信機８１から人体通信によって送信された消去指示信号を携帯機側通信機９１で受信したか否かをＣＰＵ９２が判断する。そして、消去指示信号を受信したと判断した場合（ステップＳ４６でＹｅｓ）には、ステップＳ４７に移る。また、消去指示信号を受信したと判断しなかった場合には、ステップＳ４６のフローを繰り返す。
【０１３０】
ステップＳ４７では、消去指示信号に従ってＣＰＵ９２が、メモリ９６に記憶されている停止階数のデータを消去し、フローを終了する。
【０１３１】
以上の構成によれば、ある出発地点からエレベータ７に乗って複数の階のいずれかにユーザ３が移動した後に、ユーザ３がエレベータ７に再度乗った場合に、エレベータ７を駆動制御部８８によって自動的に上述の出発地点まで移動させるので、エレベータ７にユーザ３が乗ったときに上述の出発地点まで自動的に移動させることが可能になる。
【０１３２】
例えば、図１１の３階で車両を駐車してエレベータ７にユーザ３が乗り、１階まで降りてエレベータ７から出て、再度１階からエレベータ７に乗った場合は、以下のようになる。まず、３階で車両を駐車してエレベータ７にユーザ３が乗ったときに、人体通信によって携帯機９が「３階」を示す停止階数のデータを受信し、メモリ９６に記憶する。そして、１階まで降りてエレベータ７から出て、再度１階からエレベータ７に乗った場合には、メモリ９６に記憶されている「３階」を示す停止階数のデータが人体通信によってエレベータ操作部８に送信される。続いて、この「３階」を示す停止階数のデータに従って、エレベータ操作部８でエレベータ７の行き先が３階に自動設定され、エレベータ７が３階まで移動する。
【０１３３】
また、本実施形態では、メモリ９６に記憶された停止階数のデータに従った画像の表示を携帯機９で行わない構成を示したが、必ずしもこれに限らない。例えば、携帯機２の表示部２９と同様の部材を携帯機９に備えることによって、メモリ９６に記憶された停止階数のデータに従った画像の表示を携帯機９で行う構成であってもよい。
【０１３４】
なお、本実施形態では、携帯機９のメモリ９６に停止階数のデータが予め記憶されているか否かに応じて、メモリ９６への停止階数のデータの記憶の処理とエレベータ７の移動先の自動設定の処理とを使い分ける構成を示したが、必ずしもこれに限らない。例えば、複数の階のそれぞれとメモリ９６への停止階数のデータの記憶の処理またはエレベータ７の移動先の自動設定の処理とを予め対応付けておくことによって、エレベータ７の停止階数に応じて、メモリ９６への停止階数のデータの記憶の処理とエレベータ７の移動先の自動設定の処理とを使い分ける構成であってもよい。
【０１３５】
この場合、複数の階のそれぞれ（つまり、複数の階のそれぞれの停止階数のデータ）とメモリ９６への停止階数のデータの記憶の処理またはエレベータ７の移動の自動設定の処理との対応関係を予めエレベータ操作部８のメモリ８７に格納しておく構成とすればよい。そして、ユーザ３がエレベータ操作部８の操作部側通信機８１に触れることによって操作部側通信機８１から携帯機側通信機９１へ停止階数のデータを送信したとき、この停止階数のデータがメモリ８７でメモリ９６への停止階数のデータの記憶の処理に対応付けられていたとエレベータ操作部８のＣＰＵ８４で判定した場合には、この送信した停止階数のデータを携帯機９のメモリ９６に記憶させる構成とすればよい。また、ユーザ３がエレベータ操作部８の操作部側通信機８１に触れることによって操作部側通信機８１から携帯機側通信機９１へ停止階数のデータを送信したとき、この停止階数のデータがエレベータ操作部８のメモリ８７でエレベータ７の移動先の自動設定の処理に対応付けられていたとエレベータ操作部８のＣＰＵ８４で判定した場合であって、且つ、携帯機９のメモリ９６に停止階数のデータが予め記憶されていた場合には、ＣＰＵ８４から駆動制御部８８に指示を行うことによって、メモリ９６に記憶された停止階数のデータに従った場所（つまり、階数）にエレベータ７を移動させる構成とすればよい。よって、この場合、メモリ８７は請求項の対応関係格納部として機能する。なお、ここでは、上述の対応関係をメモリ８７に格納しておく構成を示したが、必ずしもこれに限らず、メモリ８７以外のエレベータ操作部８に備えられる記憶装置（図示せず）に上述の対応関係を格納する構成であってもよい。なお、停止階数のデータがメモリ８７でエレベータ７の移動先の自動設定の処理に対応付けられていた場合であっても、携帯機９のメモリ９６に停止階数のデータが予め記憶されていなかった場合には、エレベータ７の移動先の自動設定の処理を行わない（つまり、ユーザ３が自分でエレベータ７の移動先を設定する）ものとする。
【０１３６】
また、前述の実施形態では、携帯機２の携帯機側通信機２１が配置ユニット１ａ〜１ｃのユニット側通信機１１ａ〜１１ｃから位置データを受信し、携帯機側通信機２１のメモリ２６に記憶する構成を示したが、必ずしもこれに限らない。例えば、携帯機側位置検出部５７のように現在位置を検出することができる部材を携帯機２に備え、携帯機側通信機２１とユニット側通信機１１ａ〜１１ｃとの間で人体通信が確立したときの現在位置を検出し、検出した現在位置のデータをメモリ２６に記憶する構成であってもよい。これによれば、配置ユニット１ａ〜１ｃの配置場所において現在位置が検出され、検出した現在位置のデータがメモリ２６に記憶されるので、実質的に配置ユニット１ａ〜１ｃの配置場所に関するデータ（つまり、実質的に配置ユニット１ａ〜１ｃの位置データ）がメモリ２６に記憶されることになる。
【０１３７】
なお、前述の実施形態では、位置データ、ユニットＩＤのデータ、現在位置のデータ、停止階数のデータの送信を要求するリクエスト信号を送信する構成を示したが、必ずしもこれに限らない。例えば、リクエスト信号の送信を行わない構成であってもよい。この場合には、位置データ、ユニットＩＤのデータ、現在位置のデータ、停止階数のデータを定期的に送信する構成とすればよい。また、この場合には、ユニット側通信機１１ａ〜１１ｃの受信部１３ａ〜１３ｃ、携帯機側通信機２１の送信部２３、車両側通信機４１の受信部４３を備えない構成としてもよい。
【０１３８】
また、前述の実施形態では、電流方式および電界方式のうちの電界方式によって人体通信を行う構成を示したが、必ずしもこれに限らない。例えば、電流方式および電界方式のうちの電流方式によって人体通信を行う構成であってもよい。この場合、通信用電極１２ａ〜ｃ、通信用電極２４、通信用電極４２、通信用電極５４、通信用電極８２、および通信用電極９４は、絶縁体を介さずにユーザ３に接触する構成となる。
【０１３９】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【図面の簡単な説明】
【０１４０】
【図１】行動履歴記憶システム１００の概略的な構成を示す図である。
【図２】配置ユニット１ａの概略的な構成を示すブロック図である。
【図３】携帯機２の概略的な構成を示すブロック図である。
【図４】配置ユニット１ａでの動作フローを示すフローチャートである。
【図５】携帯機２での動作フローを示すフローチャートである。
【図６】行動履歴記憶システム１０１の概略的な構成を示す図である。
【図７】車両４の概略的な構成を示すブロック図である。
【図８】携帯機５の概略的な構成を示すブロック図である。
【図９】携帯機５での報知に関する動作フローを示すフローチャートである。
【図１０】表示装置６の概略的な構成を示すブロック図である。
【図１１】行動履歴記憶システム１０２の概略的な構成を示す図である。
【図１２】エレベータ操作部８の概略的な構成を示す図である。
【図１３】携帯機９の概略的な構成を示すブロック図である。
【図１４】エレベータ操作部８での動作フローを示すフローチャートである。
【図１５】携帯機９での動作フローを示すフローチャートである。
【符号の説明】
【０１４１】
１ａ〜１ｃ  配置ユニット（物体）、２  携帯機、３  ユーザ、４  車両（物体）、５  携帯機、６  表示装置、７  エレベータ（物体、移動ユニット）、８  エレベータ操作部（物体、移動ユニット）、９  携帯機、１１ａ〜１１ｃ  ユニット側通信機（物体側人体通信部）、１２ａ〜１２ｃ  通信用電極、１６ａ〜１６ｃ  メモリ（位置関連データ格納部）、２１  携帯機側通信機（携帯機側人体通信部）、２４  通信用電極、２６  メモリ（データ記憶部）、２７  登録部、２８  認証部、２９  表示部（提示部）、４１  車両側通信機（物体側人体通信部）、４２  通信用電極、４６  車載位置検出器（現在位置検出部）、４７  メモリ（位置関連データ格納部）、５１  携帯機側通信機（携帯機側人体通信部）、５４  通信用電極、５６  メモリ（データ記憶部）、５７  携帯機側位置検出部、５８  報知部（提示部）、６１  表示装置側通信機（表示装置側人体通信部）、８１  操作部側通信機（物体側人体通信部）、８２  通信用電極、８７  メモリ（位置関連データ格納部、対応関係格納部）、８８  駆動制御部（移動制御部）、９１  携帯機側通信機（携帯機側人体通信部）、９４  通信用電極、９６  メモリ（データ記憶部）、１００  行動履歴記憶システム、１０１  行動履歴記憶システム、１０２  行動履歴記憶システム
【図１】
2010039789.tif 000003
【図２】
2010039789.tif 000004
【図３】
2010039789.tif 000005
【図４】
2010039789.tif 000006
【図５】
2010039789.tif 000007
【図６】
2010039789.tif 000008
【図７】
2010039789.tif 000009
【図８】
2010039789.tif 000010
【図９】
2010039789.tif 000011
【図１０】
2010039789.tif 000012
【図１１】
2010039789.tif 000013
【図１２】
2010039789.tif 000014
【図１３】
2010039789.tif 000015
【図１４】
2010039789.tif 000016
【図１５】
2010039789.tif 000017